(57)【要約】【課題】簡素で安価な構成により、コンプレッサで圧縮された高温な圧縮冷媒と、室内熱交換器または室外熱交換器において膨張した低温な膨張冷媒とが切換弁の内部で熱交換することを防止する。【解決手段】四方弁７Ａは、シリンダ状の弁筐体２１と、弁筐体２１の内部に摺動自在に設けられたスライド弁２２とを備え、スライド弁２２には、弁筐体２１の高圧ポート２４を熱交換器ポート２６，２７に選択的に接続する冷媒通過孔２２ｅ，２２ｆと、高圧ポート２４に接続されない熱交換器ポート２６，２７を弁筐体２１の低圧ポート２５に接続する弁体２２ｄと、冷媒通過孔２２ｅ，２２ｆに装着され、その一端が高圧ポート２４に近接して対向し、他端が選択された熱交換器ポート２６，２７に近接して対向し、高圧ポート２４から供給される圧縮冷媒ＣＲを、選択された熱交換器ポート２６，２７に直接導くガイドパイプ３０Ａと、が設けられている。【選択図】図２
2016180484.tif 000002
【特許請求の範囲】
【請求項１】
空気調和装置のコンプレッサから吐出される圧縮冷媒を、複数の熱交換器に選択的に供給する切換弁であって、
シリンダ状の弁筐体と、
前記弁筐体の内部に摺動自在に設けられたスライド弁と、
を備え、
前記弁筐体には、
前記コンプレッサの吐出ポートに繋がる高圧ポートと、
複数の前記熱交換器に繋がる複数の熱交換器ポートと、
前記コンプレッサの吸入ポートに繋がる低圧ポートと、
が設けられ、
前記スライド弁には、
前記高圧ポートを前記複数の熱交換器ポートに選択的に接続する冷媒通過孔と、
前記複数の熱交換器ポートのうち、前記高圧ポートに接続されないものを前記低圧ポートに接続する弁体と、
前記冷媒通過孔に装着され、その一端が前記高圧ポートに近接して対向し、他端が選択された前記熱交換器ポートに近接して対向し、前記高圧ポートから供給される前記圧縮冷媒を、前記弁筐体の内部に拡散させずに、選択された前記熱交換器ポートに直接導くガイドパイプと、
が設けられていることを特徴とする切換弁。
【請求項２】
前記ガイドパイプは、前記空気調和装置の暖房モードにおいて、前記高圧ポートと、室内熱交換器に繋がる前記熱交換器ポートとの間を接続するように設けられている請求項１に記載の切換弁。
【請求項３】
前記ガイドパイプは、前記空気調和装置の冷房モードにおいて、前記高圧ポートと、室外熱交換器に繋がる前記熱交換器ポートとの間を接続するように設けられている請求項１または２に記載の切換弁。
【請求項４】
前記ガイドパイプは、
前記空気調和装置の暖房モードにおいて、前記高圧ポートと、室内熱交換器に繋がる前記熱交換器ポートとの間を接続するものと、
前記空気調和装置の冷房モードにおいて、前記高圧ポートと、室外熱交換器に繋がる前記熱交換器ポートとの間を接続するものと、
が設けられ、
これら２つのガイドパイプは同一形状である請求項１に記載の切換弁。
【請求項５】
前記高圧ポートの位置は、前記熱交換器ポートの位置に対して前記弁筐体の軸方向に沿ってずれており、
前記ガイドパイプは、その前記高圧ポート側の端部が、前記高圧ポートに届くように、前記弁筐体の軸方向に沿って拡大されている請求項１から４のいずれかに記載の切換弁。
【請求項６】
前記ガイドパイプは樹脂製である請求項１から５のいずれかに記載の切換弁。
【請求項７】
請求項１から６のいずれかに記載の切換弁を備えたことを特徴とする空気調和装置。
【発明の詳細な説明】
【技術分野】
【０００１】
本発明は、冷暖、暖房等の運転切り替えを行う切換弁およびこれを備えた空気調和装置に関するものである。
【背景技術】
【０００２】
室内の冷暖房を行う空気調和装置は、基本的に、冷媒を圧縮するコンプレッサと、室内に設置される室内熱交換器と、室外に設置される室外熱交換器と、膨張弁と、切換弁とを備えて構成されている。切換弁としては、特許文献１等に開示されているスライド式の四方弁が広く用いられている。
【０００３】
スライド式の四方弁は、シリンダ状の弁筐体の内部にピストン状のスライド弁が摺動可能に挿入されている。弁筐体には、４本の冷媒流路、即ち、コンプレッサの吐出ポートに繋がる圧縮冷媒管と、コンプレッサの吸入ポートに繋がる膨張冷媒管と、室内熱交換器に繋がる室内冷媒管と、室外熱交換器に繋がる室外冷媒管とが接続されている。また、室内熱交換器と室外熱交換器との間が中間冷媒管によって接続され、この中間冷媒管に膨張弁が接続されている。
【０００４】
空気調和装置の暖房モードにおいては、四方弁のスライド弁が、圧縮冷媒管と室内冷媒管とを連通させ、膨張冷媒管と室外冷媒管とを連通させる位置にスライドする。これにより、コンプレッサから吐出される高温な圧縮冷媒の熱により室内熱交換器が高温になり、この高温な室内熱交換器にファンで室内空気が送風されることにより、室内空気との熱交換が行われて室内の暖房が行われる。
【０００５】
また、空気調和装置の冷房モードにおいては、四方弁のスライド弁が、圧縮冷媒管と室外冷媒管とを連通させ、膨張冷媒管と室内冷媒管とを連通させる位置にスライドする。これにより、コンプレッサから吐出される高温な圧縮冷媒が室外熱交換器で冷却された後、膨張弁を経て室内熱交換器において膨張（気化）し、その気化熱により室内熱交換器の熱が奪われて低温になる。この低温な室内熱交換器にファンで室内空気が送風されることにより、室内空気との熱交換が行われて室内の冷房が行われる。
【先行技術文献】
【特許文献】
【０００６】
【特許文献１】特開平１１−２０１２９７号公報
【発明の概要】
【発明が解決しようとする課題】
【０００７】
しかしながら、四方弁の内部には、コンプレッサで圧縮された高温な圧縮冷媒が流れ込むと同時に、室内熱交換器または室外熱交換器において膨張（気化）した低温な膨張冷媒が流れ込むため、高温な圧縮冷媒と低温な膨張冷媒とがスライド弁を介して熱交換してしまい、これが空気調和装置の熱効率を低下させる原因となっていた。特に、暖房モードにおいては、上記の熱ロスは無視し難く、これが省エネルギー化の妨げとなっていた。
【０００８】
本発明は、このような事情に鑑みてなされたものであり、簡素で安価な構成により、コンプレッサで圧縮された高温な圧縮冷媒と、室内熱交換器または室外熱交換器において膨張した低温な膨張冷媒とが切換弁の内部で熱交換することを防止して省エネルギー化に貢献することのできる切換弁およびこれを備えた空気調和装置を提供することを目的とする。
【課題を解決するための手段】
【０００９】
上記課題を解決するために、本発明は、以下の手段を採用する。
【００１０】
即ち、本発明の第１態様に係る切換弁は、空気調和装置のコンプレッサから吐出される圧縮冷媒を、複数の熱交換器に選択的に供給するものであって、シリンダ状の弁筐体と、前記弁筐体の内部に摺動自在に設けられたスライド弁と、を備え、前記弁筐体には、前記コンプレッサの吐出ポートに繋がる高圧ポートと、複数の前記熱交換器に繋がる複数の熱交換器ポートと、前記コンプレッサの吸入ポートに繋がる低圧ポートと、が設けられ、前記スライド弁には、前記高圧ポートを前記複数の熱交換器ポートに選択的に接続する冷媒通過孔と、前記複数の熱交換器ポートのうち、前記高圧ポートに接続されないものを前記低圧ポートに接続する弁体と、前記冷媒通過孔に装着され、その一端が前記高圧ポートに近接して対向し、他端が選択された前記熱交換器ポートに近接して対向し、前記高圧ポートから供給される前記圧縮冷媒を、前記弁筐体の内部に拡散させずに、選択された前記熱交換器ポートに直接導くガイドパイプと、が設けられていることを特徴とする。
【００１１】
上記構成の切換弁によれば、高圧ポートから弁筐体の内部に流れ込んだ圧縮冷媒は、ガイドパイプに導かれ、スライド弁の冷媒通過孔によって選択された熱交換器ポートに直接流れる。このため、圧縮冷媒が弁筐体の内部で拡散することがない。
【００１２】
したがって、弁筐体の内部において、高圧ポートから流れ込む高温な圧縮冷媒と、熱交換器において膨張した低温な膨張冷媒とが、スライド弁を介して熱交換することが防止される。これにより、切換弁における熱ロスを低減して空気調和装置の省エネルギー化に貢献することができる。
【００１３】
ガイドパイプは、一般的な切換弁のスライド弁に既設されている冷媒通過孔に付加的に装着することができるため、既存の切換弁の部品自体を変更する必要はなく、多大なコストアップを招くことなく実施することができる。
【００１４】
上記構成の切換弁において、前記ガイドパイプは、前記空気調和装置の暖房モードにおいて、前記高圧ポートと、室内熱交換器に繋がる前記熱交換器ポートとの間を接続するように設けられている。
【００１５】
これにより、暖房モードにおいては、高圧ポートから弁筐体の内部に流れ込む高温な圧縮冷媒が、ガイドパイプに導かれて熱交換器ポートに直接流れ、室内熱交換器に供給されて室内の暖房を行う。その後、この圧縮冷媒は膨張弁で膨張して膨張冷媒となり、室外熱交換器を経て再び切換弁の弁筐体に流れ込み、低圧ポートからコンプレッサの吸入ポートに戻される。
【００１６】
弁筐体の内部では、上記のように圧縮冷媒がガイドパイプに導かれて熱交換器ポートに直行するため、室外熱交換器から還流してきた低温な膨張冷媒とスライド弁を介して熱交換することがない。したがって、特に圧縮冷媒の圧縮熱を保持しなければならない暖房モードにおいては、切換弁における熱ロスを低減して省エネルギー化に貢献することができる。
【００１７】
上記構成の切換弁において、前記ガイドパイプは、前記空気調和装置の冷房モードにおいて、前記高圧ポートと、室外熱交換器に繋がる前記熱交換器ポートとの間を接続するように設けられている。
【００１８】
これにより、冷房モードにおいては、高圧ポートから弁筐体の内部に流れ込む高温な圧縮冷媒が、ガイドパイプに導かれて熱交換器ポートに直接流れ、室外熱交換器にて冷却される。その後、この圧縮冷媒は膨張弁で膨張して膨張冷媒となり、室内熱交換器に流れて室内熱交換器を冷却し、室内の冷房を行う。そして、再び切換弁の弁筐体に流れ込んで低圧ポートからコンプレッサの吸入ポートに戻される。
【００１９】
弁筐体の内部では、上記のように圧縮冷媒がガイドパイプに導かれて熱交換器ポートに直行するため、室内熱交換器から還流してきた低温な膨張冷媒とスライド弁を介して熱交換することがない。したがって、切換弁における熱ロスを低減して省エネルギー化に貢献することができる。
【００２０】
上記構成の切換弁において、前記ガイドパイプは、前記空気調和装置の暖房モードにおいて、前記高圧ポートと、室内熱交換器に繋がる前記熱交換器ポートとの間を接続するものと、前記空気調和装置の冷房モードにおいて、前記高圧ポートと、室外熱交換器に繋がる前記熱交換器ポートとの間を接続するものと、が設けられ、これら２つのガイドパイプは同一形状である。
【００２１】
上記構成によれば、２つのガイドパイプが同一の形状であるため、部品の種類を増やすことなく、暖房モードと冷房モードの両モードに対応するガイドパイプを設置することができ、切換弁の製造コストの上昇を抑えることができる。
【００２２】
上記構成の切換弁において、前記高圧ポートの位置が、前記熱交換器ポートの位置に対して前記弁筐体の軸方向に沿ってずれている場合には、前記ガイドパイプの前記高圧ポート側の端部を、前記高圧ポートに届くように、前記弁筐体の軸方向に沿って拡大してもよい。
【００２３】
上記構成によれば、高圧ポートの設置位置に拘わらず、この高圧ポートから流入する圧縮冷媒を、ガイドパイプの拡大された開口部により捕集し、該圧縮冷媒のほぼ全量を熱交換器ポートに導くことができる。このため、圧縮冷媒が弁筐体の内部で拡散することによる膨張冷媒との熱交換を有効に防止することができる。
【００２４】
上記構成の切換弁において、前記ガイドパイプは樹脂製であることが望ましい。このように、金属よりも熱伝達率の低い樹脂材料でガイドパイプを形成することで、ガイドパイプを流れる圧縮冷媒の熱がガイドパイプを経て他に移動することを防止し、熱ロスを低減させることができる。
【００２５】
また、本発明の第２態様に係る空気調和装置は、上記のいずれかの切換弁を備えたことを特徴とする。
これにより、既存の切換弁にガイドパイプを設けるという、非常に簡素で安価な構成により、コンプレッサで圧縮された高温な圧縮冷媒と、室内熱交換器または室外熱交換器において膨張した低温な膨張冷媒とが切換弁の内部で熱交換することを防止し、省エネルギー化に貢献することができる。
【発明の効果】
【００２６】
以上のように、本発明に係る切換弁およびこれを備えた空気調和装置によれば、簡素で安価な構成により、コンプレッサで圧縮された高温な圧縮冷媒と、室内熱交換器または室外熱交換器において膨張した低温な膨張冷媒とが切換弁の内部で熱交換することを防止し、省エネルギー化に貢献することができる。
【図面の簡単な説明】
【００２７】
【図１】本発明の実施形態に係る空気調和装置の概略構成図であり、（Ａ）は暖房モード、（Ｂ）は冷房モードを示している。
【図２】本発明の第１実施形態を示す四方弁の縦断面図であり、（Ａ）は暖房モード、（Ｂ）は冷房モードを示している。
【図３】本発明の第２実施形態を示す四方弁の縦断面図であり、（Ａ）は暖房モード、（Ｂ）は冷房モードを示している。
【図４】本発明の第３実施形態を示す四方弁の縦断面図であり、（Ａ）は暖房モード、（Ｂ）は冷房モードを示している。
【図５】本発明の第４実施形態を示す四方弁の縦断面図であり、（Ａ）は暖房モード、（Ｂ）は冷房モードを示している。
【発明を実施するための形態】
【００２８】
以下に、本発明の複数の実施形態について図面を参照しながら説明する。
【００２９】
［第１実施形態］
図１は、本発明の実施形態に係る空気調和装置の概略構成図であり、（Ａ）は暖房モード、（Ｂ）は冷房モードを示している。
【００３０】
この空気調和装置１は、電動機２に駆動されて冷媒を圧縮するコンプレッサ３と、室内に設置される室内熱交換器４と、室外に設置される室外熱交換器５と、膨張弁６と、スライド式の四方弁（切換弁）７Ａとを備えて構成されている。室内熱交換器４と室外熱交換器５には、それぞれファン８，９が設けられている。
【００３１】
四方弁７Ａには、コンプレッサ３の吐出ポート３ａおよび吸入ポート３ｂからそれぞれ延びる圧縮冷媒管１１および膨張冷媒管１２と、室内熱交換器４に繋がる室内冷媒管１３と、室外熱交換器５に繋がる室外冷媒管１４とが接続されている。また、室内熱交換器４と室外熱交換器５との間が中間冷媒管１５によって接続され、この中間冷媒管１５に膨張弁６が接続されている。
【００３２】
四方弁７Ａは、図２にも拡大して示すように、シリンダ状の弁筐体２１と、この弁筐体２１の内部に軸方向に摺動自在に収容されたスライド弁２２とを備えている。弁筐体２１には、４つのポート、即ち、圧縮冷媒管１１が接続される高圧ポート２４と、膨張冷媒管１２が接続される低圧ポート２５と、室内冷媒管１３が接続される室内ポート２６（熱交換器ポート）と、室外冷媒管１４が接続される室外ポート２７（熱交換器ポート）とが設けられている。
【００３３】
低圧ポート２５は、弁筐体２１の軸方向中央部に配置され、この低圧ポート２５の軸方向両側に隣接して室内ポート２６と室外ポート２７とが等間隔で配置されている。低圧ポート２５と室内ポート２６と室外ポート２７は、その弁筐体２１内部における開口部が、平坦な弁座２１ｃの上面に開口している。また、高圧ポート２４は、室内ポート２６の真向いに対向する位置に配置されている。
【００３４】
一方、スライド弁２２は、その両端に位置する円板状のピストン壁２２ａ，２２ｂと、これらのピストン壁２２ａ，２２ｂの間を連結する平板状のバルブプレート２２ｃとを備えている。ピストン壁２２ａ，２２ｂは、その外周面が弁筐体２１の内周面に気密的に密着しつつ、軸方向に摺動自在である。ピストン壁２２ａ，２２ｂの外端面同士の間隔は、弁筐体２１の内部の軸方向長さより短いため、スライド弁２２は弁筐体２１の内部を軸方向にスライド可能であり、図１（Ａ）に示す暖房モード位置２２Ａと、図１（Ｂ）に示す冷房モード位置２２Ｂとの間を移動する。
【００３５】
弁筐体２１の両端部には、一段径の小さな気室２１ａ，２１ｂが設けられており、その段部にピストン壁２２ａ，２２ｂが当接することによってスライド弁２２が暖房モード位置２２Ａまたは冷房モード位置２２Ｂにて位置決めされる。
【００３６】
スライド弁２２が暖房モード位置２２Ａから冷房モード位置２２Ｂに移動される時には、図示しない制御弁により圧縮冷媒管１１から抽気された少量の圧縮冷媒ＣＲが配管２８（図２参照）から気室２１ａに供給されてピストン壁２２ａが押圧される。
【００３７】
反対に、スライド弁２２が冷房モード位置２２Ｂから暖房モード位置２２Ａに移動される時には、圧縮冷媒管１１から抽気された少量の圧縮冷媒ＣＲが配管２９（図２参照）から気室２１ｂに供給されてピストン壁２２ｂが押圧される。
【００３８】
バルブプレート２２ｃには、その長さ方向の中央部に弁体２２ｄが設けられている。この弁体２２ｄは、高圧ポート２４側に向かって凸となり、他のポート２５，２６，２７に向かって凹となるバルジ形状であり、図２に示すように、例えば金属板で形成されているバルブプレート２２ｃに対して別体に樹脂材料等で形成され、バルブプレート２２ｃに穿設された弁体保持孔２２ｇに嵌合されている。スライド弁２２が暖房モード位置２２Ａと冷房モード位置２２Ｂとの間を移動する時において、弁体２２ｄは、弁筐体２１内部の弁座２１ｃ上に密着しながら軸方向に摺動する。
【００３９】
また、バルブプレート２２ｃには、弁体２２ｄの前後に位置し、高圧ポート２４から供給される圧縮冷媒ＣＲを、室内ポート２６または室外ポート２７に選択的に供給する冷媒通過孔２２ｅ，２２ｆが形成されている。このうち、冷媒通過孔２２ｅは、スライド弁２２が冷房モード位置２２Ｂにある時に室外ポート２７に整合し、冷媒通過孔２２ｆは、スライド弁２２が暖房モード位置２２Ａにある時に高圧ポート２４と室内ポート２６とに整合する。
【００４０】
ここで、図１（Ａ）、図２（Ａ）に示す暖房モード時に高圧ポート２４に整合する冷媒通過孔２２ｆには、直管状のガイドパイプ３０Ａが装着されている。このガイドパイプ３０Ａは、例えば耐熱性、耐油性、耐薬品性等に優れた樹脂材料で形成されており、その軸方向が弁筐体２１の軸方向およびバルブプレート２２ｃの面方向に直交するように冷媒通過孔２２ｆに挿入されて接着、溶着、螺合、圧入等の固定方法によりバルブプレート２２ｃに固定されている。
【００４１】
図１（Ａ）、図２（Ａ）のようにスライド弁２２が暖房モード位置２２Ａにある時において、ガイドパイプ３０Ａの一端（図中上端）は高圧ポート２４に近接して対向し、他端（図中下端）は室内ポート２６に近接して対向する。即ち、ガイドパイプ３０Ａは、高圧ポート２４と、室内熱交換器４に繋がる室内ポート２６との間を接続する形となる。なお、ガイドパイプ３０Ａの高圧ポート２４側の端部は円錐状（ファンネル状）に拡開されており、高圧ポート２４から弁筐体２１に流入する圧縮冷媒ＣＲがガイドパイプ３０Ａに流れ込みやすくなっている。
【００４２】
四方弁７Ａは以上のように構成されている。
この四方弁７Ａを備えた空気調和装置１は、図１（Ａ）に示す暖房モードにおいて、四方弁７Ａのスライド弁２２が暖房モード位置２２Ａにスライドする。これにより、高圧ポート２４（圧縮冷媒管１１）と室内ポート２６（室内冷媒管１３）とがガイドパイプ３０Ａを介して連通するとともに、高圧ポート２４に接続されない方の室外ポート２７（室外冷媒管１４）が、弁体２２ｄのバルジ形状（凹部）の内部で低圧ポート２５（膨張冷媒管１２）に連通する。
【００４３】
このため、コンプレッサ３の吐出ポート３ａから吐出される高温な圧縮冷媒ＣＲの熱により室内熱交換器４が高温になり、この高温な室内熱交換器４にファン８で室内空気が送風されることにより、室内空気との熱交換が行われて室内の暖房が行われる。
【００４４】
室内熱交換器４を通過した圧縮冷媒ＣＲは、中間冷媒管１５を経て膨張弁６を通過することにより膨張（気化）して室外熱交換器５に流れ、ファン９で外気を当てられた後に室外冷媒管１４（室外ポート２７）と弁体２２ｄの内部と膨張冷媒管１２（低圧ポート２５）とを経てコンプレッサ３の吸入ポート３ｂに戻される。
【００４５】
また、図１（Ｂ）に示す冷房モードにおいては、四方弁７Ａのスライド弁２２が冷房モード位置２２Ｂにスライドする。これにより、高圧ポート２４（圧縮冷媒管１１）と室外ポート２７（室外冷媒管１４）とが弁筐体２１の内部空間と冷媒通過孔２２ｅとを介して連通するとともに、高圧ポート２４に接続されない方の室内ポート２６（室内冷媒管１３）が、弁体２２ｄのバルジ形状（凹部）の内部で低圧ポート２５（膨張冷媒管１２）に連通する。
【００４６】
このため、コンプレッサ３の吐出ポート３ａから吐出される高温な圧縮冷媒ＣＲが室外熱交換器５に流れ、ファン９で冷却された後に、中間冷媒管１５と膨張弁６とを経て室内熱交換器４において膨張（気化）する。この気化熱により室内熱交換器４の熱が奪われて低温になり、この低温な室内熱交換器４にファン８で室内空気が送風されることにより、室内空気との熱交換が行われて室内の冷房が行われる。
【００４７】
図１（Ａ）および図２（Ａ）に示す暖房モードにおいては、高圧ポート２４から弁筐体２１の内部に流れ込んだ圧縮冷媒ＣＲが、ガイドパイプ３０Ａに導かれてスライド弁２２の冷媒通過孔２２ｆによって選択された室内ポート２６に直接流れる。このため、圧縮冷媒ＣＲが弁筐体２１の内部で拡散することがない。
【００４８】
したがって、弁筐体２１の内部において、高圧ポート２４から流れ込む高温な圧縮冷媒ＣＲと、室外熱交換器５において膨張した低温な膨張冷媒ＥＲとが、スライド弁２２（弁体２２ｄ）を介して熱交換することが防止される。これにより、特に圧縮冷媒ＣＲの圧縮熱を保持しなければならない暖房モードにおいては、四方弁７Ａにおける熱ロスを飛躍的に低減させ、空気調和装置１の省エネルギー化に多大に貢献することができる。
【００４９】
ガイドパイプ３０Ａは、金属よりも熱伝達率の低い樹脂材料で形成されているため、ガイドパイプ３０Ａを流れる圧縮冷媒ＣＲの熱がガイドパイプ３０Ａを経て他に移動することが防止され、この点でも熱ロスを低減させることができる。
【００５０】
さらに、ガイドパイプ３０Ａは、一般的な四方弁のスライド弁に既設されている冷媒通過孔に付加的に装着することができるため、既存の四方弁の部品自体を変更する必要はない。したがって、多大なコストアップを招くことなく容易に実施することができる。
【００５１】
［第２実施形態］
図３は、本発明の第２実施形態を示す四方弁７Ｂの縦断面図であり、（Ａ）は暖房モード、（Ｂ）は冷房モードを示している。
この四方弁７Ｂは、その高圧ポート２４が弁筐体２１の軸方向中間位置にある点と、ガイドパイプ３０Ｂの形状が異なる点において第１実施形態の四方弁７Ａと相違し、その他の点において同一である。このため、第１実施形態の四方弁７Ａと同一の構成部には同一の符号を付して説明を省略する。
【００５２】
高圧ポート２４は、低圧ポート２５の真向かいに対向する位置に設置されており、室内ポート２６と室外ポート２７の位置に対して弁筐体２１の軸方向に沿ってずれている。一方、ガイドパイプ３０Ｂは、第１実施形態の四方弁７Ａにおけるガイドパイプ３０Ａと同じく樹脂材料等で形成されており、スライド弁２２（バルブプレート２２ｃ）の冷媒通過孔２２ｆに挿入されて固定されている。ガイドパイプ３０Ｂは、スライド弁２２が暖房モード位置２２Ａにある時（図３（Ａ）参照）に、その一端（図中上端）が高圧ポート２４に近接して対向し、他端（図中下端）が室内ポート２６に近接して対向し、高圧ポート２４と室内ポート２６との間を接続する。
【００５３】
ガイドパイプ３０Ｂの高圧ポート２４側の端部は、スライド弁２２が暖房モード位置２２Ａにある時に、室内ポート２６から離れた位置にある高圧ポート２４に届くように、弁筐体２１の軸方向に沿って高圧ポート２４側にホッパ状に拡大されている。つまり、ガイドパイプ３０Ｂは、その高圧ポート２４側の開口面積が、室内ポート２６側の開口面積よりも大きくされている。
【００５４】
このように構成された四方弁７Ｂの基本的な作用および効果は、第１実施形態における四方弁７Ａと同様である。この四方弁７Ｂでは、ガイドパイプ３０Ｂの高圧ポート２４側の端部が弁筐体２１の軸方向に沿って拡大されているため、高圧ポート２４と室内ポート２６との相対位置に拘わらず、高圧ポート２４から流入する圧縮冷媒ＣＲを、ガイドパイプ３０Ｂの拡大された開口部により捕集して、圧縮冷媒ＣＲのほぼ全量を室内ポート２６に導くことができる。このため、圧縮冷媒ＣＲが弁筐体２１の内部で拡散してスライド弁２２（弁体２２ｄ）を介して膨張冷媒ＥＲと熱交換することを有効に阻止し、四方弁７Ｂにおける熱ロスを低減させることができる。
【００５５】
［第３実施形態］
図４は、本発明の第３実施形態を示す四方弁７Ｃの縦断面図であり、（Ａ）は暖房モード、（Ｂ）は冷房モードを示している。
この四方弁７Ｃは、スライド弁２２の冷媒通過孔２２ｅにガイドパイプ３０Ｃが設けられている点において第１実施形態の四方弁７Ａと相違し、その他の点において同一である。このため、第１実施形態の四方弁７Ａと同一の構成部には同一の符号を付して説明を省略する。
【００５６】
この四方弁７Ｃにおいて、スライド弁２２（バルブプレート２２ｃ）の冷媒通過孔２２ｆには、第１実施形態の四方弁７Ａと同一の形状で、同一の作用を奏する直管状のガイドパイプ３０Ａが設けられている。また、冷媒通過孔２２ｅには、第２実施形態の四方弁７Ｂにおけるガイドパイプ３０Ｂと同様な、樹脂材料等で形成されたホッパ形状のガイドパイプ３０Ｃが設けられている。
【００５７】
ガイドパイプ３０Ｃは、冷房モード（図４（Ｂ）参照）の時、即ちスライド弁２２が冷房モード位置２２Ｂにある時に、その一端（図中上端）が高圧ポート２４に近接して対向し、他端（図中下端）が室外ポート２７に近接して対向し、高圧ポート２４と室外ポート２７との間を接続するように、冷媒通過孔２２ｅに挿入されて固定されている。
【００５８】
ガイドパイプ３０Ｃの高圧ポート２４側の端部は、スライド弁２２が冷房モード位置２２Ｂにある時に、室外ポート２７から離れた位置にある高圧ポート２４に届くように、弁筐体２１の軸方向に沿って高圧ポート２４側にホッパ状に拡大されている。
【００５９】
このように構成された四方弁７Ｃの基本的な作用は、第１実施形態および第２実施形態における四方弁７Ａ，７Ｂと同様である。この四方弁７Ｃでは、ガイドパイプ３０Ｃの高圧ポート２４側の端部が弁筐体２１の軸方向に沿って拡大されているため、冷房モードにおいては、高圧ポート２４と室外ポート２７との相対位置に拘わらず、高圧ポート２４から流入する圧縮冷媒ＣＲを、ガイドパイプ３０Ｃの拡大された開口部により捕集し、圧縮冷媒ＣＲのほぼ全量を室外ポート２７に流すことができる。このため、圧縮冷媒ＣＲが弁筐体２１の内部で拡散してスライド弁２２を介して膨張冷媒ＥＲと熱交換することを有効に阻止し、四方弁７Ｃにおける熱ロスを低減させることができる。
【００６０】
また、この四方弁７Ｃは、暖房モード用のガイドパイプ３０Ａと冷房モード用のガイドパイプ３０Ｃとが兼備されている。このため、暖房モードと冷房モードの両モードにおいて、高圧ポート２４から供給される高温な圧縮冷媒ＣＲを、弁筐体２１の内部で拡散させることなく、室内ポート２６または室外ポート２７に送ることができ、両モードにおいて四方弁７Ｃにおける熱ロスを飛躍的に低減させ、空気調和装置１の省エネルギー化に貢献することができる。
【００６１】
［第４実施形態］
図５は、本発明の第４実施形態を示す四方弁７Ｄの縦断面図であり、（Ａ）は暖房モード、（Ｂ）は冷房モードを示している。
この四方弁７Ｄは、スライド弁２２の冷媒通過孔２２ｅにガイドパイプ３０Ｄが設けられている点において第２実施形態の四方弁７Ｂ（図３参照）と相違し、その他の点において同一である。このため、第２実施形態の四方弁７Ｂと同一の構成部には同一の符号を付して説明を省略する。
【００６２】
ガイドパイプ３０Ｄは、第３実施形態の四方弁７Ｃ（図４参照）におけるガイドパイプ３０Ｃと同じく、冷房モード（図５（Ｂ）参照）の時、即ちスライド弁２２が冷房モード位置２２Ｂにある時に、その一端（図中上端）が高圧ポート２４に近接して対向し、他端（図中下端）が室外ポート２７に近接して対向し、高圧ポート２４と室外ポート２７との間を接続するように、冷媒通過孔２２ｅに挿入されて固定されている。
【００６３】
ガイドパイプ３０Ｄの高圧ポート２４側の端部は、スライド弁２２が冷房モード位置２２Ｂにある時に、室外ポート２７から離れた位置にある高圧ポート２４に届くように、弁筐体２１の軸方向に沿って高圧ポート２４側にホッパ状に拡大され、その高圧ポート２４側の開口面積が、室外ポート２７側の開口面積よりも大きくされている。このガイドパイプ３０Ｄは、冷媒通過孔２２ｆに設けられているガイドパイプ３０Ｂと同一の形状であり、その設置向きが逆にされている。
【００６４】
上記のように、冷媒通過孔２２ｆに設けられているガイドパイプ３０Ｂと、冷媒通過孔２２ｅに設けられているガイドパイプ３０Ｄとを同一形状にすることにより、部品の種類を増やすことなく、暖房モードと冷房モードの両モードに対応するガイドパイプ３０Ｂ，３０Ｄを設置することができ、四方弁７Ｄの製造コストの上昇を抑えることができる。
【００６５】
以上説明したように、上記各実施形態に係る四方弁７Ａ〜７Ｄ、およびこれを備えた空気調和装置１は、スライド弁２２の冷媒通過孔２２ｅ，２２ｆにガイドパイプ３０Ａ〜３０Ｄを設けるという、非常に簡素で安価な構成を備えている。本構成によれば、コンプレッサ３で圧縮された高温な圧縮冷媒ＣＲと、室内熱交換器４または室外熱交換器５において膨張した低温な膨張冷媒ＥＲとが四方弁７Ａ〜７Ｄの内部で熱交換することを防止し、熱ロスを低減して省エネルギー化に貢献することができる。
【００６６】
なお、本発明は上記第１〜第４実施形態の構成のみに限定されるものではなく、本発明の要旨を逸脱しない範囲内において適宜変更や改良を加えることができ、このように変更や改良を加えた実施形態も本発明の権利範囲に含まれるものとする。
【符号の説明】
【００６７】
１  空気調和装置
３  コンプレッサ
３ａ  吐出ポート
３ｂ  吸入ポート
４  室内熱交換器（熱交換器）
５  室外熱交換器（熱交換器）
６  膨張弁
７Ａ〜７Ｄ  四方弁（切換弁）
２１  弁筐体
２２  スライド弁
２２ａ，２２ｂ  ピストン壁
２２ｃ  バルブプレート
２２ｄ  弁体
２２ｅ，２２ｆ  冷媒通過孔
２４  高圧ポート
２５  低圧ポート
２６  室内ポート（熱交換器ポート）
２７  室外ポート（熱交換器ポート）
３０Ａ〜３０Ｄ  ガイドパイプ
ＣＲ  圧縮冷媒
ＥＲ  膨張冷媒
【図１】
2016180484.tif 000003
【図２】
2016180484.tif 000004
【図３】
2016180484.tif 000005
【図４】
2016180484.tif 000006
【図５】
2016180484.tif 000007